(57)【特許請求の範囲】
【請求項１】
柔軟な素材により形成されたシートプレート１の表面に配線パターンａ・ｂを形成し、
配線パターンａ・ｂの適所にＬＥＤチップ２を取付け、
該ＬＥＤチップ２の側方にＬＥＤチップ２より最高部が高い位置にあり、かつ、ＬＥＤチップ２の出射光が入射する位置にある光透過部材３を配置し、
シートプレート１との間にＬＥＤチップ２と光透過部材３とを配置する間隔を開けるように光透過体６で形成した印刷シート７を配置し、
シートプレート１のＬＥＤチップ２及び光透過部材３の側方には、シートプレート１と印刷シート７との間に間隔をあけるスペーサ４を取付け、
ＬＥＤチップ制御手段とシートプレート１の前記配線パターンａ・ｂとを接続する配線パターンｃをシートプレート１の一部を伸ばして形成した配線プレート５上に設けると共に、
光透過体６で形成した印刷シート７の印刷面７ａで光透過部材３の一部及びスペーサ４を覆い、
シートプレート１と印刷シート７との間にＬＥＤチップ２・光透過部材３・スペーサ４を挾んで接着して一枚のプレート８を形成し、
シートプレート１の裏面が接着剤または両面接着シートにより機器の外表面に貼付けられるプレート８によって機器の表示部を構成し、
シートプレート１に比較して小形に形成した他のシートプレート１に他のシートプレート１用のＬＥＤチップ２・２ａを特定形状に集中して取付け、
印刷面７ａで多数の光透過部７ｂを形成する他のシートプレート１用の印刷シート７と他のシートプレート１との間に他のシートプレート１用のＬＥＤチップ２・他のシートプレート１用の光透過部材３・他のシートプレート１用のスペーサ４を挾んで一枚の小形のプレート８を形成し、
小形のプレート８から外方に伸びる配線プレート５をシートプレート１に取付けて、他の配線プレート５を経てＬＥＤ制御手段と接続し、
シートプレート１用のＬＥＤチップ２やスペーサ４と共にこの小形のプレート８もシートプレート１用の印刷シート７で覆って構成した表示機能付シートプレート。
【請求項２】
柔軟な素材により形成されたシートプレート１の表面に配線パターンａ・ｂを形成し、
配線パターンａ・ｂの適所にＬＥＤチップ２を取付け、
該ＬＥＤチップ２の上方に光透過部材３を配置し、
シートプレート１との間にＬＥＤチップ２と光透過部材３とを配置する間隔を開けるように光透過体６で形成した印刷シート７を配置し、
ＬＥＤチップ２の側方のシートプレート１にはシートプレート１と印刷シート７との間に間隔をあけるスペーサ４を取付け、
ＬＥＤチップ制御手段とシートプレート１の前記配線パターンａ・ｂとを接続する配線パターンｃをシートプレート１の一部を伸ばして形成した配線プレート５上に設けると共に、
光透過体６で形成した印刷シート７の印刷面７ａで光透過部材３の一部及びスペーサ４を覆い、
シートプレート１と印刷シート７との間にＬＥＤチップ２・光透過部材３・スペーサ４を挾んで接着して一枚のプレート８を形成し、
シートプレート１の裏面が接着剤または両面接着シートにより機器の外表面に貼付けられるプレート８によって機器の表示部を構成し、
シートプレート１に比較して小形に形成した他のシートプレート１に他のシートプレート１用のＬＥＤチップ２・２ａを特定形状に集中して取付け、
印刷面７ａで多数の光透過部７ｂを形成する他のシートプレート１用の印刷シート７と他のシートプレート１との間に他のシートプレート１用のＬＥＤチップ２・他のシートプレート１用の光透過部材３・他のシートプレート１用のスペーサ４を挾んで一枚の小形のプレート８を形成し、
小形のプレート８から外方に伸びる配線プレート５をシートプレート１に取付けて、他の配線プレート５を経てＬＥＤ制御手段と接続し、
シートプレート１用のＬＥＤチップ２やスペーサ４と共にこの小形のプレート８もシートプレート１用の印刷シート７で覆って構成した表示機能付シートプレート。
【請求項３】
ＬＥＤチップ２は側面発光タイプを用いて、ＬＥＤチップ２の側方に光透過部材３を配置し、
該光透過部材３の下部に薄膜の反射部材３ａを配置し、
印刷シート７には光透過部材３の形状より小さい任意の形状の光透過部７ｂを残して光透過体６に不透過性インクで印刷面７ａを形成したことを特徴とする請求項１に記載の表示機能付シートプレート。
【請求項４】
配線パターンａ・ｂの適所には異なる発色のＬＥＤチップ２・２ａを取付け、
該ＬＥＤチップ２・２ａは側面発光タイプを用いてＬＥＤチップ２・２ａの側方に共通の光透過部材３を配置し、
光透過部材３はＬＥＤチップ２・２ａの点燈・消燈によって異なる色に発光することを特徴とする請求項１または３に記載の表示機能付シートプレート。
【請求項５】
印刷シート７の光透過体６を半透明部材もしくは半透明インクが印刷された透明部材によって構成してＬＥＤチップ２の上方及びスペーサ４を覆うと共に、印刷シート７には光透過部材３の形状より小さい任意形状の光透過部７ｂを残して不透過性インクによる印刷面７ａを形成したことを特徴とする請求項１に記載の表示機能付シートプレート。
【発明の詳細な説明】
【０００１】
【産業上の利用分野】
この発明は機器の表面に入力・表示機能のついた操作部を貼付けによって構成する為の表示機能付シートプレートに関する。
【０００２】
【従来の技術】
例えば石油暖房器などの機器には、暖房器を駆動操作する為の操作部や、機器の動作状態を表示をする表示部が取付けられている。そして、これらの表示部や操作部を構成する電装部品はベークライトやエポキシ樹脂からなるプリント基板上に配置され、該プリント基板は合成樹脂製の操作部枠体に取付けられ、この操作部枠体を機器に固着する構造が一般的である。
【０００３】
即ち、プリント基板などに取付けられる電装部品として、市販されているＬＥＤなどの表示器具やスイッチ類の操作器具は、一定の大きさと形状が必要であり、機器の表面付近に操作部分や表示部分を位置させるには、操作部枠体のプリント基板の固定位置は機器の内部になってしまうものである。
【０００４】
この為、石油暖房器などの機器の表面には操作部枠体を取付ける為の開口を設け、この操作部枠体を機器の枠体内に固定すると共に、機器の操作部の表面と操作部取付用の開口は、操作表示が印刷された表示板で覆うものである。
【０００５】
一方、最近のカードタイプの計算機などでは、柔軟なシートプレートの上に操作部であるスイッチを構成し、また、表示部としてＬＣＤ表示器を組み込んだものがある。この為、石油暖房器などでもカードタイプの計算機のように、表示装置として発光機能のないＬＣＤ表示器を用い、操作装置としてのスイッチにプレートタイプを用いることによって、従来の技術の範囲で操作部や表示部をシート状に構成することができ、機器の枠体の形状を複雑にしなくとも、簡単に操作表示部が取付できると思われる。
【０００６】
【発明が解決しようとする課題】
カードタイプの計算機などのようにシート状に操作部や表示部が構成できれば石油暖房器の枠体の表面に両面接着テープを使って貼付ることによって操作部や表示部が簡単に取付できるようになる。そして、従来構造の石油暖房器では操作部や表示部の構造が複雑であるから、この部分の製造コストが高くなっており、しかも、石油暖房器などではロット当たりの製造数が多いから、もし、シート状の操作部や表示部が実施できれば、大きなコストダウンの可能性がある。
【０００７】
ところで、カードタイプの計算機などに使われるＬＣＤ表示器は、蛍光表示管やＬＥＤと違って発光機能がなく、室内光の反射を使って表示している。このように発光部がない為にＬＣＤ表示器の厚さは非常に薄く製造できるから、カードタイプの計算機はこのＬＣＤ表示器を使うことによってはじめて実用になったものであり、現在もこのようなカードタイプの計算機にＬＣＤ以外の発光能力のあるＬＥＤなどの表示器を使う技術は完成されていない。
【０００８】
このように表示部にＬＣＤ表示器を使えば、石油暖房器でもシート状の操作部や表示部が使用できるが、最近の石油暖房器は大型の操作スイッチに発光ランプを組み込んだものを使い、少しばかり薄暗い部屋の隅に置いても運転状態が一目でわかるものが好まれており、操作や運転状態の表示部としてＬＣＤ表示器を使うことは事実上不可能である。この為、操作表示機能の点で、カードタイプの計算機などに使われる柔軟なシートプレートを基板とするプレート状の操作部を、石油暖房器の操作部に直ちに使うことは実質的に不可能であった。
【０００９】
【課題を解決するための手段】
この発明は上記課題を解決して、はじめてＬＥＤによる発光表示機能を持ったシート状の操作表示部を実用化したもので、シートプレート１の表面に配線パターンａ・ｂを形成し、配線パターンａ・ｂの適所にＬＥＤチップ２を取付け、該ＬＥＤチップ２の側方もしくは上方に対向してＬＥＤチップ２より最高部が高い位置にある光透過部材３を配置し、ＬＥＤチップ２及び光透過部材３の側方のシートプレート１にはスペーサ４を取付け、ＬＥＤチップ制御手段とシートプレート１の前記配線パターンａ・ｂとを接続する配線パターンｃを配線プレート５上に設けると共に、光透過体６で形成した印刷シート７の印刷面７ａで光透過部材３の一部及びスペーサ４を覆い、シートプレート１と印刷シート７との間にＬＥＤチップ２・光透過部材３・スペーサ４を挾んで接着して一枚のプレート８を形成し、貼付けするプレート８によって機器の表示部を構成するものである。
【００１０】
また、ＬＥＤチップ２は側面発光タイプを用いて、ＬＥＤチップ２の側方に光透過部材３を配置し、該光透過部材３の下部に薄膜の反射部材３ａを配置し、印刷シート７には光透過部材３の形状より小さい任意の形状の光透過部７ｂを残して光透過体６に不透過性インクで印刷面７ａを形成するもので、全体をプレート状に形成する為には薄くした光透過部材３と印刷シート７と組み合わせることで、光透過部３ａが任意形状で均一に発光できたものである。
【００１１】
また、配線パターンａ・ｂの適所には異なる発色のＬＥＤチップ２・２ａを取付け、該ＬＥＤチップ２・２ａは側面発光タイプを用いてＬＥＤチップ２・２ａの側方に共通の光透過部材３を配置し、光透過部材３はＬＥＤチップ２・２ａの点燈・消燈によって異なる色に発光するもので、貼付けによって形成する薄い一枚のプレート８で形成する表示部であっても、光透過部７ｂの発光色を異ならせることができたものである。
【００１２】
更に、ＬＥＤチップ２の側方もしくは上方に配置した光透過部材３は透明体もしくは空気層で形成し、印刷シート７の光透過体６は半透明部材もしくは半透明インクが印刷された透明部材によって構成してＬＥＤチップ２の上方及びスペーサ４を覆うと共に、印刷シート７には光透過部材３の形状より小さい任意形状の光透過部７ｂを残して不透過性インクによる印刷面７ａを形成することによって、比較的狭い範囲の発光にも簡単に対応できたものである。
【００１３】
また、シートプレート１を小形に形成してＬＥＤチップ２・２ａを特定形状に集中して取付け、印刷面７ａで多数の光透過部７ｂを形成する印刷シート７とシートプレート１との間にＬＥＤチップ２・光透過部材３・スペーサ４を挾んで一枚のプレート８を形成し、該プレート８から外方に伸びる配線プレート５を他のシートプレート１に取付けて、他の配線プレート５を経てＬＥＤ制御手段と接続することによって、直線状に細かい間隔でＬＥＤを並べたレベル表示や、７セグメントによる文字表示といった規格形状の表示が簡単にできるものである。
【００１４】
【作用】
半導体で構成するＬＥＤの発光部は微小な半導体素材の接合部からの発光であるから、半導体素子を一定の大きさで透光性のある樹脂に封入して、発光点から離れた樹脂端面の全体が明るくなるようにしている。この為、ＬＥＤを発光表示器として使うには一定の高さや大きさが必要で、背が低いＬＥＤチップ２を使って発光表示器を構成しても、強い光が一点から発生するだけで、期待した大きさ全体を光らせることができず、従来技術ではＬＥＤチップ２を使って実用に耐える発光表示器を薄いプレート状に仕上げることは不可能である。
【００１５】
この発明は、点または短いバー表示の時はＬＥＤチップ２上方に、また、大きな７セグメントによる数字表示を構成する為の所定長さのバー表示や、大きな発光面積を得る時にはＬＥＤチップ２の側方に光透過部材３を配置して、光透過を必要としない部分にスペーサ４を配置して光の洩れを防ぐと共に、これらの全体に印刷シート７を貼付けて、不透過性インクの印刷面７ａで光透過部材３の一部を覆い、制限された光透過部７ｂからのみ光が放出するようにし、また、不透過性インクの印刷面７ａでＬＥＤチップ２から発生する強い光を防ぐようにし、更に、印刷シート７を構成する光透過体６の透過率を選んでＬＥＤチップ２からの強い光を柔らかくしたから、点表示や、バー表示や、所定大きさの面表示が、薄いシート状のプレート８内にはじめて構成できた。
【００１６】
また、所定大きさの面表示を行なう為に、側面発光タイプのＬＥＤチップ２の側方に位置した光透過部材３の下部には薄膜の反射部材３ａを設けており、不透過性インクによって印刷する印刷シート７には、光透過部材３の形状より小さい任意の形状の光透過部７ｂを形成し、かつ、反射部材３ａの働きで光透過部材３の全体に光が届くので、印刷によって残された任意形状の光透過部７ｂが均一に発光できたものである。
【００１７】
【実施例】
図に示す実施例によってこの発明を説明すると、１はポリエステルフィルムなどの柔軟な素材を使ったシートプレート、５はシートプレート１の一部を伸ばして形成した配線プレート、ａ〜ｃはシートプレート１及び配線プレート５の上に銀ベースの導電性インクによって、印刷形成した配線パターンであり、配線パターンａ〜ｃの他の実施例としては、印刷に代えて良電導性の素材を蒸着によって付着させても良い。
【００１８】
９はシートプレート１や配線プレート５の配線パターンａ・ｃの露出したくない部分を覆う薄膜のポリエステルフィルムを貼付けた絶縁層であり、この絶縁層９は薄膜のポリエステルフィフムに代って不導電性インクを使って、印刷によって形成しても良い。
【００１９】
２は一方の配線パターンａをアース側として他の制御側の配線パターンｂとの間に取付けたＬＥＤチップであり、該ＬＥＤチップ２は抵抗チップや、コンデンサチップや、トランジスタ・ＩＣチップなどと一緒にガラスエポシキ基板上に実装されるもので、主として信号の流れや信号のＨ・Ｌレベルの表示といったメンテナンス情報を基板の上に発光表示するものである。該ＬＥＤチップ２は半導体素子の接合部のみが樹脂封入されており、接合部の一点から強い光が発光する為に機器の表示器としては使いにくいものである。
【００２０】
尚、一般の表示器に使われるＬＥＤはこの発光する半導体素子の接合部を一定の大きさの透光性樹脂でモールドし、接合部から離れた透光性樹脂の端面から柔らかい光が発光するようになっており、ＬＥＤチップ２と比べて形状が非常に大型であるから、表示器として使い易くなっている。この為、不完全なＬＥＤチップ２を機器の操作部の表示器に使う事例は今まで全くない。
【００２１】
該シートプレート１のＬＥＤチップ２は図示せざるＬＥＤチップ制御手段の信号によって点燈・消燈するものであり、該ＬＥＤチップ制御手段の信号は配線プレート５の配線パターンｃに接続され、該配線パターンｃはシートプレート１の配線パターンａ・ｂに導通してＬＥＤチップ２を制御している。
【００２２】
３はシートプレート１に取付けたＬＥＤチップ２よりやや背高で薄厚の合成樹脂で形成した光透過部材であり、該光透過部材３はシートプレート１の上に配置され、上方や側方からＬＥＤチップ２と対向している。４はＬＥＤチップ２及び光透過部材３の側方に配置して、ＬＥＤチップ２から光の拡散を防ぐスペーサであり、実施例のスペーサ４は柔軟性あるポリプロピレンで形成され、また、ＬＥＤチップ２及び光透過部材３と接近する側には必要に応じて反射率の向上を計る為に、反射材の取付けまたは印刷を施すことが好ましい。また、スペーサ４の本体を反射特性の良好な合成樹脂などで形成しても良い。
【００２３】
３ａは光透過部材３がシートプレート１上に取付けられる時に、シートプレート１と光透過部材３との間に配置した薄膜の反射部材であり、ＬＥＤチップ２の半導体の接合部から発生する強い光が光透過部材３へ入射した後で、シートプレート１側に吸収されないようにする働きがある。
【００２４】
７はシートプレート１との間にＬＥＤチップ２・光透過部材３・スペーサ４を挾んで配置する印刷シートであり、素材はポリエステルフィルムからなる光透過体６で構成する。７ａは印刷シート７の印刷面であり、該印刷面７ａは印刷シート７の裏面に各種操作表示やＬＥＤチップ２による発光部の名称などと共に印刷形成されており、また、光透過部材３と対向する一部分やＬＥＤチップ２を覆うように遮光性インクで遮光印刷されている。７ｂは印刷面７ａによって遮光された光透過部材３の一部に遮光印刷されずに残された光透過部であり、ＬＥＤチップ２から光透過部材３へ入射した光の一部が、印刷面７ａのない光透過部７ｂから外部に放射する。従って、ＬＥＤチップ２の半導体の接合部がチカッと光るポイント発光は直接外部に放射されず、光透過部７ｂ全体が均一に光るようになった。
【００２５】
７ｃは印刷シート７の主としてスペーサ４と対向する部分に付着した接着層、１０はシートプレート１の裏面に接着剤を介して貼付ける補強シート、８は少なくともシートプレート１とスペーサ４と印刷シート７とが一体に接着して構成するプレートであり、柔らかく必要以上変形する恐れがある時にはシートプレート１に前記補強プレート１０が貼付けてあり、所定の強度と柔軟性を持たせている。この為、プレート８は非常に薄く仕上がっており、はじめてＬＥＤチップ２による発光機能を持ったプレート８が完成できたもので、このプレート８を石油暖房器などの操作表示部として枠体表面に貼付けることが可能になり、大幅なコストダウンが実現すると共に、使用範囲が広がったものである。
【００２６】
ＬＥＤチップ２による表示部分に大面積の発光が必要な時には、ＬＥＤチップ２は発光部を側面に向けて取付け、ＬＥＤチップ２の側方のシートプレート１に薄厚で大面積の光透過部材３を接着配置するとよく、大面積を明るく発光する為には、印刷シート７の印刷面７ａで形成する光透過部７ｂによる光透過部材３からの透過光の制限と、反射部材３ａの取付は不可欠であり、このような構成とすることによってはじめて薄厚で大面積の光透過部材３を使い、光透過部７ｂの面積が広くなっても全体を均一に光らせることが可能になったものである。
【００２７】
また、シートプレート１に取付けるＬＥＤチップ２の発光部を側方に向けた時には、共通の光透過部材３に向けて異なる発色のＬＥＤチップ２・２ａを取付けることができるから、夫々のＬＥＤチップ２・２ａの点燈・消燈によって光透過部材３は異なる色に発色することができるようになった。
【００２８】
一方、光透過部７ｂとして小さい点のような部分を光らせる時にはＬＥＤチップ２の上方に設けた光透過部材３を透明なアクリル板や、時には空気層で形成し、印刷シート７は光透過体６を半透明部材で、もしくは透明部材に半透明インクの印刷によって形成してもよく、この場合、ＬＥＤチップ２の接合部から強い光が直接放射されても、光透過体６もしくは半透明インクによって弱められ、他のＬＥＤチップ２からの光量に合わせて光らせることができるようになった。また、この場合の他の実施例として、ＬＥＤチップ２の上方の光透過部材３を半透明膜３ｂで形成して、透明部材で形成した印刷シート７に貼付けても、同様な作用効果が得られるものである。
【００２９】
本発明のシートプレート１の一般的な実施例は使用する機器の操作表示部に合わせて夫々の形状で個々に製造されるものである。この為、配線パターンａ〜ｂとＬＥＤチップ２の配置が７セグメントの数字表示のように部分的に複雑になれば、この細かい部分を製造するコスト高の技術を使って全体を作らなければならず、細かい技術を大面積に展開するから不良品の発生率も高くなる。特にこの発明品は接着によって多数の薄膜を貼付けて構成しており、もし不良品が出ても修理することができないから、歩止まりが非常に悪くなってしまう。
【００３０】
この為、温度表示や発熱量ランクや安全装置のエラー番号などを、数字や棒グラフで詳細に表示する時には細かくＬＥＤチップ２を配置することになり、図７・図８に示すようにシートプレート１を小形に形成し、このプレート１上に集中してＬＥＤチップ２・光透過部材３・スペーサ４を配置して、印刷シート７には操作表示をせずに光透過部７ｂのみを印刷すれば、このプレート８だけに細かい部分の製造が集中できるものである。
【００３１】
そして、機器の操作部に貼付ける他のシートプレート１の配線パターンａ・ｂに、細かい作業で作ったプレート８の配線プレート５の配線パターンｃを接続し、他のシートプレート１専用のＬＥＤチップ２やスペーサ４と共にこの小形のプレート８も一緒に他の印刷シート７で覆って、機器に貼付け用のプレート８を構成する使用法が実施でき、この場合、小形の単体としてのプレート８は汎用パーツとして多量生産できるから、品質保証も行ない易く、一方、機器に貼付ける他のプレート８の製造品質を特別高く保持する必要がなく、歩止まりが向上するものである。
【００３２】
また、小形のプレート８が７セグメントの数字表示のように複数個並べて使用されるものにあっては、シートプレート１と印刷シート７との間に配置したスペーサ４の端に、外方への凸部と、該凸部の形状に嵌合できる凹部を設け、夫々の凸・凹部を嵌合することであらかじめ小形のシートプレート１は正確に並べることができ、機器に取付するプレート８に複数の小形プレート８を取付する時にも、個々の取付位置が傾いて、表示がばらつくこともなく、正確に取付できたものである。
【００３３】
一方、機器の操作部を構成するにあたり、表示部だけでなくスイッチなどの操作部も必要であり、この場合はカードタイプの計算機のスイッチ機構が適用できるものである。即ち、図４・図６の実施例において、１１はスペーサ４と印刷シート７との間に接着によって配置された第二シートプレートであり、該第二シートプレート１１は光透過部材３に対応する部分に抜き孔１１ａを設け、光透過部材３はこの抜き孔１１ａから露出しており、光透過部材３にとって第二シートプレート１１はスペーサ４と同じ働きをする。
【００３４】
１２はこの第二シートプレート１１に形成した第二配線プレートであり、印刷などの方法で第二シートプレート１１には配線パターンｄ・ｅが、また、配線プレート１２には配線パターンｆが形成されており、該配線パターンｆからスイッチ信号を取出すことができる。
【００３５】
１３は配線パターンｄ・ｅの露出させたくない部分をポリエステルフィルムまたは印刷によって覆う第二絶縁層であり、該第二絶縁層１３で覆われていない部分に配線パターンｄ・ｅが並設して露出している。１４は端部が第二絶縁層１３の上に位置した導電性で可撓性を持つ皿状体であり、第二シートプレート１１の上方に配置する印刷シート７の裏面に皿状体１４が取付けられ、配線パターンｄ・ｅと皿状体１４との間に間隙を形成している。一方、配線パターンｅ・ｄは否導通状態になっているので、印刷シート７の上から皿状体１４を押すと、皿状体１４が反転して配線パターンｄ・ｅと接触するから、並設した配線パターンｄ・ｅが短路してスイッチを構成するものである。
【００３６】
尚、印刷シート７の素材が比較的堅くて第二シートプレート１１に印刷シート７が貼付けられた状態で、配線パターンｄ・ｅと印刷シート７が常時離れているならば、露出する配線パターンｄ・ｅと対向する印刷シート７に導電性インクによって導電体を形成してもよく、印刷シート７の上を押すと導電体が配線パターンｄ・ｅを短路させるから、スイッチが構成できたものである。
【００３７】
図に示す実施例の石油暖房器の操作部を構成するプレート８には、運転の開始と停止を行なう運転スイッチと、ルームサーモによる自動運転と暖房器の出力を設定する手動運転を選択する切換スイッチと、タイマーによって自動的に運転を開始するタイマースイッチと、入力データを上または下に修正入力する入力スイッチを備えており、更に、大きな光透過部７ｂによる運転動作表示部と、運転動作を選択した時の運転モード表示部と、暖房中の室温や、バーナの燃焼量レベルや、異常時のエラーコードを表示する７セグメントの数字表示部を設けている。
【００３８】
上記の操作部は通常の石油暖房器の操作部と同じであり、これを薄厚のプレート８によってすべて構成したもので、機器の外表面の一部に平面状の凹部を構成し、該凹部に接着剤もしくは両面接着シートによって前記プレート８を固着することによって構成している。また、この凹部にはプレス加工によって凹部と一緒に透孔を形成し、透孔に配線プレート５を引き込みながら、この発明のプレート８を凹部に貼付ければ完成するものである。この為、従来の合成樹脂製の操作部枠体や、表示操作用のプリント基板や、操作部表面のパネルなどの部品は全く必要がなくなり、機器の枠体に操作部枠体を取付ける構造も不要になり、大幅なコストダウンが可能になったものである。
【００３９】
【発明の効果】
以上のようにこの発明では、はじめてＬＥＤチップ２による発光タイプの表示機構を一枚のシート状のプレート８に仕上げることができたから、石油暖房器などの操作部がプレート８の貼付けによって構成できるようになったものである。そして、配線パターンａ〜ｃを形成した柔軟なシートプレート１や配線プレート５は、印刷と接着によって構成したから大量生産が可能になり、部品数が大幅に少なくなって、大幅なコストダウンが可能になったものである。
【００４０】
また、石油暖房器などの操作部を構成するに当たり、プレート８を貼付ける位置ぎめ用の凹部と、配線プレート５を機器の内部に引き込む為の透孔をあけるだけでよく、機器の操作部としてはこの部分にプレート８を貼付けるだけであるから、非常に簡単に製造できるようになったものである。
【００４１】
また、チップ実装用のＬＥＤチップ２によって薄っぺらな表示部を製造するに当たり、柔軟なシートプレート１の配線パターンａ・ｂにＬＥＤチップ２を取付け、該ＬＥＤチップ２の半導体素子の接合部から発生する光を半透明部材３内に誘導し、かつ、印刷シート７の印刷面７ａによってＬＥＤチップ２及び光透過部材３の一部を覆うから、ＬＥＤチップ２及び光透過部材３の強い光が発生する部分を拡散したり遮光したりすることができ、印刷シート７の光透過部７ｂからのみＬＥＤチップ２の光が放射できるから、安定した均一な発光が可能になったものである。
【００４２】
また、光透過部材３を大型にして大面積の発光を実現する為には、ＬＥＤチップ２を側面発光できるように取付け、光透過部材３には側部から光を入射し、かつ、光透過部材３の裏面に反射部材３ａを形成したから、印刷シート７の印刷面７ａによる遮光効果で光透過部７ｂの全体が均一に発光できるようになった。また、側面から発光するＬＥＤチップ２を使う時には、発光色の違ったＬＥＤチップ２を使うことによって、同じ光透過部７ｂから異なる色の光を放射できるようになるものであり、応用範囲が広がるものである。
【００４３】
更に、ＬＥＤチップ２を細かく配置する時には、小形のシートプレート１を使って小さなプレート８を完成し、これを機器の操作部を構成する大面積のシートプレート１に取付ける使用法が可能になり、機器に取付けるプレート８のコストダウンが可能になると共に、この小さなプレート８は７セグメントの数字表示などの時は、汎用部品として大量生産が可能になるものである。また、機器の操作部の為のシートプレート１に一体に７セグメントの数字表示を形成する時よりも、プレート８の品質保証が簡単になり、製造時の歩止まりが向上したものである。
【図面の簡単な説明】
【図１】この発明の各種部品を一部装着した状態の実施例を示すシートプレートの平面図である。
【図２】図１に示すこの発明の実施例におけるシートプレートの平面図である。
【図３】図１に示すこの発明の実施例におけるスペーサの平面図である。
【図４】図１に示すこの発明の実施例によって完成したプレートの要部断面図である。
【図５】図１に示すこの発明の実施例によって完成したプレートの平面図であり、操作作部の表示状態を示す。
【図６】この発明で実施する押しボタン操作によるスイッチ入力部を構成する第２シートプレートの平面図である。
【図７】この発明の他の実施例である数字表示用のシートプレートの平面図である。
【図８】図７に示す実施例によって完成した数字表示用プレートの要部断面図である。
【符号の説明】
１    シートプレート
２    ＬＥＤチップ
２ａ  ＬＥＤチップ
３    光透過部材
３ａ  反射部材
４    スペーサ
５    配線プレート
６    光透過体
７    印刷シート
７ａ  印刷面
７ｂ  光透過部
８    プレート
ａ〜ｃ  配線パターン
【図１】
0004288712.tif 000002
【図２】
0004288712.tif 000003
【図３】
0004288712.tif 000004
【図４】
0004288712.tif 000005
【図５】
0004288712.tif 000006
【図６】
0004288712.tif 000007
【図７】
0004288712.tif 000008
【図８】
0004288712.tif 000009